(57)【要約】  マークアップ言語の命令セットのようなメタデータ形式の記述を、周囲から、生成するための装置であって、前記周囲の第１の様相をセンスするためのセンサ手段、及び前記様相を前記メタデータに変換するための変換手段、を有する。
2005513685.tif 000002
【特許請求の範囲】
【請求項１】
メタデータ形式で記述を、周囲から、生成するための装置であって、
前記周囲の第1の様相をセンスするための第1のセンサ手段、及び該様相を前記メタデータに変換するための変換手段を有する、装置。
【請求項２】
請求項１に記載の装置であって、
前記第１のセンサ手段は、イメージ・センサである、装置。
【請求項３】
請求項１又は２に記載の装置であって、
前記周囲の更なる様相をセンスするための更なるセンス手段を更に有する、装置。
【請求項４】
請求項１、２又は３に記載の装置であって、
前記メタデータを記録するための記録手段を更に有する、装置。
【請求項５】
請求項１、２又は３に記載の装置であって、
前記メタデータを転送するための転送手段を更に有する、装置。
【請求項６】
メタデータ形式で記述を、周囲から、生成する方法であって、
前記周囲の第1の様相をセンスし、該様相を前記メタデータに変換することを含む、方法。
【請求項７】
請求項６に記載の方法であって、
前記第１の様相は、前記周囲のイメージである、方法。
【請求項８】
請求項６又は７に記載の方法であって、
前記周囲の更なる様相をセンスすることを更に含む、方法。
【請求項９】
請求項６、７又は８に記載の方法であって、
前記メタデータを記録することを更に含む、方法。
【請求項１０】
請求項６、７又は８に記載の方法であって、
前記メタデータを転送することを更に含む、方法
【請求項１１】
請求項６から１０のいずれか１項に記載の方法であって、
前記変換することは、前記周囲の２つ又はそれより多くの様相を、前記メタデータに変換することを更に含む、方法。
【請求項１２】
請求項６から１０のいずれか１項に記載の方法であって、
前記メタデータは、マークアップ言語の命令セットである、方法。
【発明の詳細な説明】
【技術分野】
【０００１】
本発明は、周囲から、メタデータ、特にマークアップ言語の命令セットの形式による記述を生成するための装置、及びその方法に関する。
【背景技術】
【０００２】
周囲の様相を記録するための、イメージを記録するためのカメラの使用は周知である。
記録されたイメージの純然たる増加もまた公知である。
【０００３】
米国特許明細書第６１２８０３７号は、自動的に、デジタルカメラ内のイメージに音を追加する方法、及びそのシステムを開示する。前記方法及びシステムは、以前にキャプチャされたイメージに後付の注釈をつける能力を含む。これは、前記デジタルカメラをレビューモードに置き、ビュー・ファインダー内で、以前にキャプチャされたイメージに対応するイメージセルを選択し、サウンド・クリップを記録し、前記サウンド・クリップを前記以前にキャプチャされたイメージに貼り付けること、によって達成される。
【０００４】
欧州公開特許公報第０９２０１７９号は、コミュニケーション場面、例えば訪問者アトラクションサイト、でのデータ収集を伴う写真システムに関連し、該訪問者アトラクションサイトは、ユーザと相互の通信が可能である。前記アトラクションサイトは、該サイトに関するコンテンツ・データを記憶し、前記ユーザは、該サイトと通信可能なカメラを介して、当該アトラクションサイトと通信する。前記サイトに関連するイメージをキャプチャすることに加えて、前記カメラは、前記ユーザの興味に関連する予め定められた個人データを、少なくとも前記コンテンツ・データの一部に記録し、前記個人データを前記アトラクションサイトに転送するための手段を含む。前記カメラは、更に、前記アトラクションサイトからのコンテンツ・データの一部を受取り、及び表示するための手段を含み、ユーザは、前記表示されているコンテンツ・データから該ユーザが保持したい部分を選択するために通信する。このようにして、撮影された品目についてのユーザの興味に関連する情報は、容易に要求され、アクセスされ、該ユーザがキャプチャした特定の写真とともに記録され得る。
【０００５】
米国特許明細書第６２２３１９０号は、デジタル画像装置によってキャプチャされたイメージを含むＨＴＭＬ(hypertext markup language)ファイルを生成するための方法、及びシステムを開示し、該デジタル画像装置はディスプレイを有する。スクリプト及び該スクリプトの予め定められたモデルが、前記デジタルカメラに設けられる。前記スクリプトは、一組のソフトウェア・プログラム命令を含む。前記デジタルカメラは、ディスプレイに、ユーザに特定の処理を実行させる対話式の指示を表示するための前記スクリプトを実行する。前記ユーザが、一連の結果として生じるイメージを得るための一連の関連するイメージキャプチャを通して手引きされるように、前記特定の処理を実行するユーザに応じて、前記デジタルカメラは自動的に前記対話式の指示を更新する。前記デジタルカメラは、結果として生じるイメージを含むＨＴＭＬファイルを生成し、該ＨＴＭＬファイルは、前記予め定められたモデルに従ってフォーマットされる。
【発明の開示】
【発明が解決しようとする課題】
【０００６】
これらの公知の装置のいずれも、しかしながら、元の生データの形式より他に、何の周囲の様相も記録しない。
【０００７】
前記公知の装置に改善を加えることが、従って、本発明の目的である。
【課題を解決するための手段】
【０００８】
本発明の第１の観点によれば、本発明は、メタデータ形式の記述を、周囲から、生成するための装置が設けられ、前記周囲の第１の様相をセンスするための第１のセンサ手段、及び前記様相を前記メタデータに変換するための変換手段を有する。
【０００９】
本発明の第２の観点によれば、本発明は、メタデータ形式の記述を、周囲から、生成する方法を有し、前記周囲の最初の様相をセンスし、及び前記様相を前記メタデータに変換することを有する。
【００１０】
本発明により、前記周囲の様相に関するメタデータを生成することが可能となる。
【００１１】
有利なことに、前記第１のセンサ手段はイメージ・センサである。望ましくは、更なる周囲の様相をセンスするための更なるセンシング手段が設けられる。前記メタデータを記録するための記録手段、又は該メタデータを転送するための転送手段が含まれ得る。理想的には、前記メタデータはマークアップ言語の命令セットである。
【発明を実施するための最良の形態】
【００１２】
本発明の実施例は、添付の図面を参照しつつ、単なる例として、ここで示されるだろう。
【００１３】
図１は、メタデータ形式の記述を、周囲から、生成するための装置の概略表現である。
【００１４】
図において、装置１０は、前記第１の周囲の様相をセンスするための第１のセンサ手段を有する。前記センサ手段は、デジタルカメラと同様の手法で作動し、前記周囲の様相のイメージである第1の周囲の様相をセンスするイメージ・センサ１２である。イメージ・センサ１２は、静止又は動画イメージをセンスするための機構を有する。
【００１５】
装置１０は、また、前記様相（前記周囲のイメージ）をメタデータに変換するための変換手段１４を有する。変換手段１４は、適当なメモリ容量を有するプロセッサである。変換手段１４は、イメージ・センサ１２から前記生データを受け取り、メタデータを生成するために生データ情報を処理する。これは、デジタルカメラにおける通常の処理とは区別されるべきものであり、該カメラによって受け取られる前記イメージは、元のイメージに戻す後の変換のために、予め定められたプロトコルに従って、バイナリデータストリームに変換される。例えば、装置１０が体験する前記周囲が公園であるかもしれない。この場合、イメージ・センサ１２は、前記公園のイメージをセンスし、該イメージを、メタデータを生成する変換手段１４に渡す。このメタデータはマークアップ言語の命令セットの形式のものであり、従って、この例では<TRESS>、<GRASS>、及び<BLUE SKY>を有する。
【００１６】
イメージ・センサ１２に加えて、装置１０は、更なる前記周囲の様相をセンスするための、更なるセンシング手段を備える。これは、明かりセンサ１６、熱センサ１８、音センサ２０、位置センサ２２、及び空気移動センサ２４として、示されている。適当なセンサが設けられ得る限り、いかなる周囲の様相もセンス可能である、ということが理解されるであろう。例えば、臭いもセンス可能である。
【００１７】
各センサは周囲の様相をセンスし、該様相に関する情報を変換手段１４へ渡す。光センサ１６は、前記周囲に存在する照度レベル、及び色の度合いを測定し、前記生データを変換手段１４へ渡すだろう。上記の例では、前記周囲が公園であるので、変換手段１４はマークアップ言語の命令セットの形式でメタデータを生成し、該メタデータは<BRIGHT>及び<GREEN>を有するであろう。
【００１８】
同様に、熱センサ１８は、前記周囲の温度を、典型的には摂氏温度としてセンスし、この生データを、この情報をメタデータに変換するであろう変換手段１４に渡すであろう。例えば、２４℃は、変換手段１４によって<WARM>に変換されるだろう。
【００１９】
音センサ２０は前記周囲の音の様相をセンスし、再び変換手段１４はセンサ２０から前記生データを受け取り、当該生データをメタデータに変換する。前記公園の例では、このメタデータは<RUSTLING>及び<SONGBIRDS>であろう。
【００２０】
位置センサ２２は、装置１０の位置を決定するためにＧＰＳ（Global Positioning System）を使用する。位置センサ２２は、また、イメージ・センサ１２がデータを獲得している時の、該イメージセンサ１２が向いている方向を決定するため、及び音が聞こえている方向を検出するための機能を有する。例えば、装置１０が、海岸の近くである場合、前記位置センサは、このデータを、メタデータ<SEASIDE>を生成するであろう変換手段１４に渡すであろう。
【００２１】
空気移動は、空気の速度、方向、及び移動の型を検出するセンサ２４によってセンスされる。再び、この生データは、このデータをメタデータに変換する変換手段１４に渡され、該メタデータは、例えば<LIGHT BREEZE>であるであろう。
【００２２】
装置１０に含まれる、しかし図示されていないものは、時刻装置である。この時刻装置は変換手段によって解釈され、それぞれに見合った<NIGHT>、又は<DAWN>、その他、のようなメタデータを生成するために使用される。位置センサ２２からの情報と共に、空における太陽の位置のような情報が確定され得、変換手段１４は<NOONDAY SUN>のようなメタデータを生成しても良い。
【００２３】
したがって、前記異なる周囲の様相が装置１０の異なるセンサ手段によってセンスされ、変換手段１４によって、その周囲の高度な記述に変換される、ということが分かり得る。前記変換手段は、一般的な用語のみで前記異なる周囲の様相を記述するマークアップ言語の命令セットを生成する。前記高度な記述から、逆に、前記生データを生成することは可能性がない。
【００２４】
装置１０は、また、変換手段１４によって生成されたメタデータを記録するための記録手段２６を備える。この記録手段２６は、ハードディスク又はフラッシュメモリのような、いかなる適切な記憶装置でもあり得る。記録手段２６は変換手段１４と接続されており、変換手段１４から、その場所の周囲を記述する生成されたメタデータを受け取る。これは、後の転送、観察、又は頒布のために、前記装置に、記述がローカルに記録されることを可能とする。
【００２５】
装置１０は、メタデータを転送するための転送手段２８を更に有する。転送手段２８は、例えばブルートゥース（登録商標）標準規格のマイクロ波又は近距離無線通信になり得、又は長距離無線放送になり得る。これは、センスされており、かつ装置１０によってメタデータに変換される前記周囲から、前記メタデータが遠隔の地へリアルタイムに（又はバッチ処理で）転送されることを可能とする。ウェブカメラと同様に、装置１０は、外部ネットワーク、例えばインターネット、に直接接続可能である。
【００２６】
装置１０は、また、有線又は無線で、前記メタデータを与えることのできる装置、又は装置の組に接続されても良い。この装置、又は装置の組は、前記メタデータを受け取り、それらの機能に従って、該メタデータの記述に応じた結果を生成する。典型的には、前記装置は、ディスプレイ、照明、及びオーディオ装置を含むであろう。
【００２７】
変換手段１４は、また、２つ又はそれより多くの前記周囲の様相をメタデータに変換する機能を有する。例えば、熱センサ１８が低温をセンスし、光センサが光の低いレベルをセンスしている場合、前記変換手段は、例えば、記述<WINTER>を生成し得る。
【００２８】
本実施例の有利な点は、メタデータが確立されるので、経験が編集、及び／又は、増大され得、あるいは、他の経験のための基礎として使用され、（書かれた、又はキャプチャされた）他の記述と結合される、ということである。より複雑な場合において、センシング手段１２は、イメージ解析を通して、目的物、及び該目的物の空間的関連を識別することができ、前記変換手段によって適当なメタデータに変換され得る。前記メタデータが採る形式は、ＭＰＥＧ−７メタデータのような、いなかる適切な高度な記述でもあり得る。
【図面の簡単な説明】
【００２９】
【図１】図１は、周囲から、メタデータ形式の記述を生成するための装置の概略表現である。
【図１】
2005513685.tif 000003
【国際調査報告】
2005513685.tif 000004
2005513685.tif 000005